(57)【要約】      （修正有）【課題】電気的接続の信頼性が高く、かつ着用者の動作を妨げ難い加熱機能付き衣類を提供する。【解決手段】加熱機能付き衣類は、衣類本体１と、衣類本体に配置されるヒーター部２と、ヒーター部と電気的に接続されている端子部と、端子部に着脱可能に設けられる電源部材４とを備え、端子部が、衣類本体を挟んでヒーター部に対向する位置に配置されている。【選択図】図１
0003231939.tif 000002
【実用新案登録請求の範囲】
【請求項１】
衣類本体と、
上記衣類本体に配置されるヒーター部と、
上記ヒーター部と電気的に接続されている端子部と、
上記端子部に着脱可能に設けられる電源部材と
を備え、
上記端子部が、上記衣類本体を挟んで上記ヒーター部に対向する位置に配置されている加熱機能付き衣類。
【請求項２】
上記ヒーター部が、上記衣類本体の内面に配置されており、
上記端子部が、上記衣類本体の外面に配置されている請求項１に記載の加熱機能付き衣類。
【請求項３】
上記端子部と上記電源部材とが、スナップボタンによって着脱可能に設けられている請求項１又は請求項２に記載の加熱機能付き衣類。
【請求項４】
携帯端末との無線通信により上記ヒーター部の加熱温度を調節可能な制御部をさらに備える請求項１、請求項２又は請求項３に記載の加熱機能付き衣類。
【請求項５】
上記衣類本体が下着である請求項１から請求項４のいずれか１項に記載の加熱機能付き衣類。
【考案の詳細な説明】
【技術分野】
【０００１】
本考案は、加熱機能付き衣類に関する。
【背景技術】
【０００２】
衣類本体にヒーター部が配置されている加熱機能付き衣類が知られている。この加熱機能付き衣類は、ヒーター部と、このヒーター部に電力を供給する電源部材とを備えている。この加熱機能付き衣類として、バッテリが収納される収納部と、バッテリと接続されるコネクタ部と、コネクタ部とヒーター部とを接続する配線とを備えるものが発案されている（特開２０１６−１５６１２１号公報参照）。
【先行技術文献】
【特許文献】
【０００３】
【特許文献１】特開２０１６−１５６１２１号公報
【考案の概要】
【考案が解決しようとする課題】
【０００４】
特許文献１に記載されている加熱機能付き衣類は、コネクタ部が収納部内に配置されており、バッテリとコネクタ部とが着脱可能に構成されている。特許文献１には、コネクタ部からバッテリを取り外すことで、ヒーター部を取り外さなくても衣類を洗濯できることが記載されている。
【０００５】
しかしながら、特許文献１に記載されている加熱機能付き衣類は、ヒーター部とコネクタ部とが配線で接続されているので、ヒーター部とバッテリとの電気的接続の信頼性が不十分である。すなわち、特許文献１に記載されている加熱機能付き衣類は、衣類の着用者の動作に配線が追随し難い場合があり、ヒーター部とコネクタ部との間で断線が生じるおそれがある。また、配線が存在することで着用者の自由な動作が妨げられることも考えられる。
【０００６】
本考案は、このような不都合に鑑みてなされたものであり、電気的接続の信頼性が高く、かつ着用者の動作を妨げ難い加熱機能付き衣類を提供することを目的とする。
【課題を解決するための手段】
【０００７】
上記課題を解決するためになされた本考案の一態様に係る加熱機能付き衣類は、衣類本体と、上記衣類本体に配置されるヒーター部と、上記ヒーター部と電気的に接続されている端子部と、上記端子部に着脱可能に設けられる電源部材とを備え、上記端子部が、上記衣類本体を挟んで上記ヒーター部に対向する位置に配置されている。
【考案の効果】
【０００８】
本考案の一態様に係る加熱機能付き衣類は、電気的接続の信頼性が高く、かつ着用者の動作を妨げ難い。
【図面の簡単な説明】
【０００９】
【図１】図１は、本考案の一実施形態に係る加熱機能付き衣類を示す模式的正面図である。
【図２】図２は、図１の加熱機能付き衣類の内面側の部分を示す模式図である。
【図３】図３は、図１の加熱機能付き衣類の電源部材を取り外した状態を示す模式図である。
【図４】図４は、図１の加熱機能付き衣類とは異なる実施形態に係る加熱機能付き衣類を示す模式図である。
【図５】図５は、図１及び図４の加熱機能付き衣類とは異なる実施形態に係る加熱機能付き衣類を示す模式図である。
【考案を実施するための形態】
【００１０】
［本考案の実施形態の説明］
最初に本考案の実施態様を列記して説明する。
【００１１】
本考案の一態様に係る加熱機能付き衣類は、衣類本体と、上記衣類本体に配置されるヒーター部と、上記ヒーター部と電気的に接続されている端子部と、上記端子部に着脱可能に設けられる電源部材とを備え、上記端子部が、上記衣類本体を挟んで上記ヒーター部に対向する位置に配置されている。
【００１２】
当該加熱機能付き衣類は、上記端子部が上記衣類本体を挟んで上記ヒーター部に対向する位置に配置されているので、着用者の動作に起因する断線のおそれが低い。また、当該加熱機能付き衣類は、上記端子部が上記衣類本体を挟んで上記ヒーター部に対向する位置に配置されているので、配線に起因して着用者の動作が制限され難い。そのため、当該加熱機能付き衣類は、電気的接続の信頼性が高く、かつ着用者の動作を妨げ難い。
【００１３】
上記ヒーター部が、上記衣類本体の内面に配置されており、上記端子部が、上記衣類本体の外面に配置されているとよい。このように、上記ヒーター部が、上記衣類本体の内面に配置されており、上記端子部が、上記衣類本体の外面に配置されていることによって、上記端子部に対する上記電源部材の着脱が容易であると共に、上記電源部材が着用者の動作を妨げ難い。
【００１４】
上記端子部と上記電源部材とが、スナップボタンによって着脱可能に設けられているとよい。このように、上記端子部と上記電源部材とが、スナップボタンによって着脱可能に設けられていることによって、上記端子部と上記電源部材とを容易かつ確実に着脱することができる。
【００１５】
当該加熱機能付き衣類は、携帯端末との無線通信により上記ヒーター部の加熱温度を調節可能な制御部をさらに備えるとよい。この構成によると、上記ヒーター部を所望の温度に調節しやすい。
【００１６】
上記衣類本体が下着であるとよい。当該加熱機能付き衣類は、上記衣類本体が下着である場合でも着用者の動作を妨げ難い。また、上記衣類本体が下着であることで、ヒーター部を着用者に密着させやすく、着用者を温めやすい。
【００１７】
なお、本考案において、衣類本体の「内面」とは、着用者と接する側の面を意味し、「外面」とはその反対側の面を意味する。
【００１８】
［本考案の実施形態の詳細］
以下、適宜図面を参照しつつ、本考案の実施の形態を詳説する。
【００１９】
［第一実施形態］
＜加熱機能付き衣類＞
図１及び図２の加熱機能付き衣類１０は、衣類本体１と、衣類本体１に配置されるヒーター部２とを備える。また、当該加熱機能付き衣類１０は、図３に示すように、ヒーター部２と電気的に接続されている端子部３と、端子部３に着脱可能に設けられる電源部材４とを備える。端子部３は、衣類本体１を挟んでヒーター部２に対向する位置に配置されている。
【００２０】
（衣類本体）
衣類本体１は、下着である。当該加熱機能付き衣類１０は、電源部材４が端子部３を介してヒーター部２と重なり合う位置に配置されているので、電源部材４を衣類本体１及びヒーター部２と一体的に取り扱うことができる。そのため、当該加熱機能付き衣類１０は、衣類本体１が下着である場合でも着用者の動作を妨げ難い。また、当該加熱機能付き衣類１０は、衣類本体１が下着であることで、ヒーター部２を着用者に密着させやすく、着用者を温めやすい。
【００２１】
上記下着の種類としては、特に限定されるものではなく、例えばシャツ、男性用パンツ（トランクス、ボクサーパンツ、ブリーフパンツ等）、ブラジャー、ショーツ、ランジェリー、ガードル、靴下等が挙げられる。中でも、ヒーター部２を着用者の腹部に対応して配置しやすい男性用パンツ、ショーツ又はガードルが好ましい。当該加熱機能付き衣類１０は、着用者の腹部に接するようにヒーター部２を配置することで、例えば着用者が女性である場合であれば、生理時等に腹部を温めやすい。
【００２２】
（ヒーター部）
ヒーター部２は、発熱体（不図示）とこの発熱体を被覆する被覆材２ａとを有している。上記発熱体は、電源部材４から供給される電力によって発熱する。上記発熱体としては、例えば電熱線が挙げられる。上記発熱体は、衣類本体１と被覆材２ａとの間に配置されている。被覆材２ａは、衣類本体１に、例えば縫製によって取り付けられている。
【００２３】
ヒーター部２は、衣類本体１の内面に配置されていることが好ましい。この構成によると、着用者の所望の位置を容易かつ確実に温めやすい。
【００２４】
（端子部）
端子部３は、ヒーター部２と電源部材４とを電気的に接続するための接続端子である。端子部３は、衣類本体１を挟んでヒーター部２と対向して配置される本体３ａを有する。本体３ａは、電源部材４と接続可能に構成されている。また、端子部３は、本体３ａと上記発熱体とを電気的に接続する接続部（不図示）を有する。本体３ａの個数としては、特に限定されないが、例えば２個とすることができる。
【００２５】
本体３ａは、スナップボタンの雄部材又は雌部材として構成されている。本体３ａは、縫製等により衣類本体１に固定されている。上記接続部は、衣類本体１を厚さ方向に貫通している。上記接続部は、一方側の端部で本体３ａに接続され、他方側の端部で上記発熱体に接続されている。上記接続部は、例えば本体３ａと同じ材料で本体３ａと一体的に形成されている。すなわち、当該加熱機能付き衣類１０は、端子部３とヒーター部２とが直接接続されており、端子部３とヒーター部２とを接続するための配線コードを有しない。
【００２６】
端子部３（より詳しくは、本体３ａ）は、衣類本体１の外面に配置されている。この構成によると、端子部３に対する電源部材４の着脱が容易であると共に、電源部材４によって着用者の動作が妨げられ難い。
【００２７】
（電源部材）
電源部材４は、端子部３と直接接続されている。電源部材４は、例えば平面面積が１０ｃｍ２以下程度の携帯型電源部材である。電源部材４は、ヒーター部２を加熱して使用する際に端子部３に接続されていればよく、その他の場合には端子部３から取り外しておいてよい。例えば電源部材４は、衣類本体１を洗濯する際には、端子部３から取り外されていることが好ましい。
【００２８】
電源部材４は、充電可能な電池（不図示）を含む。図３に示すように、電源部材４は、端子部３（より詳しくは、本体３ａ）と接続される接続部４ａと、充電用のコネクタ４ｂとを有する。また、図１に示すように、電源部材４は、電力の供給のＯＮ、ＯＦＦを切り換えるためのスイッチ４ｃを有する。
【００２９】
接続部４ａは、スナップボタンの雄部材又は雌部材として構成されている。具体的には、端子部３の本体３ａと接続部４ａとは、一方がスナップボタンの雄部材として構成され、他方がスナップボタンの雌部材として構成されている。これにより、端子部３と電源部材４とはスナップボタンによって着脱可能に設けられている。この構成によると、端子部３と電源部材４とを容易かつ確実に着脱することができる。また、この構成によると、衣類本体１に電源部材４を容易かつ確実に固定できるので、電源部材４を衣類本体１と一体的に取り扱いやすい。
【００３０】
コネクタ４ｂは、例えばＵＳＢ端子である。コネクタ４ｂには、所定のケーブルやアダプタ等が接続される。電源部材４は、上記ケーブルやアダプタを介して充電可能に構成されている。
【００３１】
スイッチ４ｃは、例えば押しボタンである。スイッチ４ｃは、電力のＯＮ、ＯＦＦに加えて、ヒーター部２の温度調節機能を有していてもよい。
【００３２】
＜利点＞
当該加熱機能付き衣類１０は、端子部３が衣類本体１を挟んでヒーター部２に対向する位置に配置されているので、着用者の動作に起因する断線のおそれが低い。また、当該加熱機能付き衣類１０は、端子部３が衣類本体１を挟んでヒーター部２に対向する位置に配置されているので、従来の加熱機能付き衣類のように配線に起因して着用者の動作が制限され難い。そのため、当該加熱機能付き衣類１０は、電気的接続の信頼性が高く、かつ着用者の動作を妨げ難い。
【００３３】
［第二実施形態］
＜加熱機能付き衣類＞
図４の加熱機能付き衣類２０は、衣類本体１と、衣類本体１に配置されるヒーター部２と、ヒーター部２と電気的に接続されている端子部（不図示）と、上記端子部に着脱可能に設けられる電源部材４とを備える。上記端子部は、衣類本体１を挟んでヒーター部２に対向する位置に配置されている。当該加熱機能付き衣類２０は、携帯端末１００との無線通信によりヒーター部２の加熱温度を調節可能な制御部２１を備える。携帯端末１００としては、例えばスマートフォンが挙げられる。当該加熱機能付き衣類２０は、制御部２１を備えている以外は、図１及び図２の加熱機能付き衣類１０と同様の構成とすることができる。そのため、以下では、制御部２１についてのみ説明する。
【００３４】
（制御部）
制御部２１は、例えば電源部材４内に設けられている。制御部２１は、携帯端末１００から送られる信号を受信可能なアンテナ（不図示）を有する。制御部２１は、携帯端末１００にインストールされたアプリケーションの動作に基づき、例えばヒーター部２に印加する電圧を変化させることで、ヒーター部２の加熱温度を調節する。制御部２１は、ヒーター部２による加熱のＯＮ、ＯＦＦについても制御できるように構成されていてもよい。
【００３５】
＜利点＞
当該加熱機能付き衣類２０は、携帯端末１００との無線通信によりヒーター部２の加熱温度を調節可能な制御部２１を備えるので、ヒーター部２を所望の温度に調節しやすい。特に、この構成によると、衣類本体１が下着である場合でも、この下着を外部に露出することなく、ヒーター部２の加熱温度を容易に調節することができる。
【００３６】
［第三実施形態］
＜加熱機能付き衣類＞
図５の加熱機能付き衣類３０は、衣類本体３１と、衣類本体３１に配置されるヒーター部２と、ヒーター部２と電気的に接続されている端子部（不図示）と、上記端子部に着脱可能に設けられる電源部材４とを備える。上記端子部は、衣類本体３１を挟んでヒーター部２に対向する位置に配置されている。ヒーター部２、上記端子部及び電源部材４については、図１及び図２の加熱機能付き衣類１０と同様の構成とすることができるので、説明を省略する。
【００３７】
衣類本体３１は、マフラーである。衣類本体３１は、着用者の頸部（より詳しくは、後頸部）に対向する位置にヒーター部２が配置されている。すなわち、ヒーター部２は、衣類本体３１の内面に配置されている。
【００３８】
＜利点＞
当該加熱機能付き衣類３０は、衣類本体３１がマフラーであることで、着用者の頸部を容易かつ確実に温めることができる。当該加熱機能付き衣類３０は、上記端子部が衣類本体３１を挟んでヒーター部２に対向する位置に配置されているので、衣類本体３１がマフラーである場合でも、着用者の動作が妨げられ難い。
【００３９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４０】
例えば上記ヒーター部は、上記衣類本体の内面以外の部分に配置されていてもよい。例えば上記衣類本体が複数の生地を重ねて設けられている場合であれば、上記ヒーター部は、生地と生地との間に配置されていてもよい。
【００４１】
上記端子部は、上記衣類本体の外面以外の部分に配置されていてもよい。また、上記衣類本体には、上記端子部を外部から視認させないようにするためのカバー等が設けられていてもよい。
【００４２】
当該加熱機能付き衣類は、上記端子部を上記ヒーター部と重なり合う位置に配置できる限り、上記端子部と上記電源部材との接続手段は特に限定されるものではない。例えば上記衣類本体に上記電源部材を取り付けるための枠体やレール部材等が設けられており、この枠体やレール部材に上記電源部材を取り付けることで、上記端子部と上記電源部材とが接続されるように構成されていてもよい。
【００４３】
上記衣類本体としては、下着やマフラー以外のものを用いることも可能である。例えば上記衣類本体は、腹巻、手袋、帽子等であってもよく、上着であってもよい。
【産業上の利用可能性】
【００４４】
以上のように、本考案の一態様に係る加熱機能付き衣類は、電気的接続の信頼性が高く、かつ着用者の動作を妨げ難いので、着用者の所望の部位を温めるのに適している。
【符号の説明】
【００４５】
１、３１  衣類本体
２  ヒーター部
２ａ  被覆材
３  端子部
３ａ  本体
４  電源部材
４ａ  接続部
４ｂ  コネクタ
４ｃ  スイッチ
１０、２０、３０  加熱機能付き衣類
２１  制御部
１００  携帯端末
【図１】
0003231939.tif 000003
【図２】
0003231939.tif 000004
【図３】
0003231939.tif 000005
【図４】
0003231939.tif 000006
【図５】
0003231939.tif 000007